(57)【要約】【課題】出入り口の横幅が狭くなったり、門扉装置の設置スペースが大きくなったりすることなく、また、出入り口の開閉状態を特に管理するような手間を掛けることなく、門扉で通路を開閉できるようにする。【解決手段】通路Ａを開閉自在な門扉１に、その門扉に形成してある出入り口Ｂを開閉自在な補助扉２を設けてあるとともに、門扉をスライド移動させて開閉自在に支持する扉支持部３と、門扉の前後両面側の夫々をスライド移動に伴って回転自在な支持ローラ４で支持して倒れを阻止可能な倒れ阻止部５とを設けてあり、倒れ阻止部を、門扉のスライド移動経路を挟んで対向する一対の支柱２０を通路脇に設置し、その一対の支柱の夫々に支持ローラを回転自在に設けて構成してある門扉装置であって、補助扉を門扉開閉方向に沿ってスライド移動自在、かつ、門扉と共に一対の支柱間を移動自在に設けてある。【選択図】図１
0003132510.tif 000002
【実用新案登録請求の範囲】
【請求項１】
通路を開閉自在な門扉に、その門扉に形成してある出入り口を開閉自在な補助扉を設けてあるとともに、
前記門扉をその面に沿った方向にスライド移動させて開閉自在に支持する扉支持部と、前記門扉の前後両面側の夫々をそのスライド移動に伴って回転自在な支持ローラで支持して前記門扉の倒れを阻止可能な倒れ阻止部とを設けてあり、
前記倒れ阻止部を構成するに、
前記門扉のスライド移動経路を挟んで対向する一対の支柱を前記通路脇に設置するとともに、その一対の支柱の夫々に前記支持ローラを回転自在に設けて構成してある門扉装置であって、
前記補助扉を門扉開閉方向に沿ってスライド移動自在、かつ、前記門扉と共に前記一対の支柱間を移動自在に設けてある門扉装置。
【請求項２】
前記門扉を扉開閉方向に駆動移動自在な扉駆動機構を設けてある請求項１記載の門扉装置。
【考案の詳細な説明】
【技術分野】
【０００１】
本考案は、通路を開閉自在な門扉に、その門扉に形成してある出入り口を開閉自在な補助扉を設けてあるとともに、前記門扉をその面に沿った方向にスライド移動させて開閉自在に支持する扉支持部と、前記門扉の前後両面側の夫々をそのスライド移動に伴って回転自在な支持ローラで支持して前記門扉の倒れを阻止可能な倒れ阻止部とを設けてあり、前記倒れ阻止部を構成するに、前記門扉のスライド移動経路を挟んで対向する一対の支柱を前記通路脇に設置するとともに、その一対の支柱の夫々に前記支持ローラを回転自在に設けて構成してある門扉装置に関する。
【背景技術】
【０００２】
上記門扉装置は、門扉で通路を閉じているときでも、その門扉をスライド移動させることなく出入りできるように、出入り口を門扉に形成してあり、従来、その出入り口を開閉自在な補助扉を蝶番などのヒンジ部材で門扉に連結して、縦軸芯周りで揺動開閉自在に支持してある。
また、門扉の前後両面側の夫々を支持してその倒れを阻止できるように、門扉のスライド移動経路を挟んで対向する一対の支柱を設置して、その支柱の夫々に支持ローラを設け、通路を閉じているときでも、通路を開けているときでも、門扉を支持ローラで支持できるように、一対の支柱を通路脇に設置してある（周知慣用技術であり、適切な先行技術文献情報を開示できない）。
【考案の開示】
【考案が解決しようとする課題】
【０００３】
このため、門扉の出入り口を開けると、補助扉の揺動端部が門扉から通路側に突出することになり、出入り口を開けた状態、つまり、補助扉の揺動端部が門扉から通路側に突出している状態で、門扉をスライド移動させると、補助扉が支柱や支持ローラに衝突して破損するおそれがあり、門扉をスライド移動させるときには、補助扉で出入り口を閉じておくように、出入り口の開閉状態を管理する必要がある。
そこで、門扉の出入り口を開けた状態でその門扉をスライド移動させても、補助扉が支柱や支持ローラに衝突しないように、補助扉の横幅を狭くすると出入り口の横幅も狭くする必要があり、出入り口の横幅が狭くならないように、一対の支柱どうしの間隔を広くすると門扉装置の設置スペースが大きくなる欠点がある。
本考案は上記実情に鑑みてなされたものであって、出入り口の横幅が狭くなったり、門扉装置の設置スペースが大きくなったりすることなく、また、出入り口の開閉状態を特に管理するような手間を掛けることなく、門扉で通路を開閉できるようにすることを目的とする。
【課題を解決するための手段】
【０００４】
本考案の第１特徴構成は、通路を開閉自在な門扉に、その門扉に形成してある出入り口を開閉自在な補助扉を設けてあるとともに、前記門扉をその面に沿った方向にスライド移動させて開閉自在に支持する扉支持部と、前記門扉の前後両面側の夫々をそのスライド移動に伴って回転自在な支持ローラで支持して前記門扉の倒れを阻止可能な倒れ阻止部とを設けてあり、前記倒れ阻止部を構成するに、前記門扉のスライド移動経路を挟んで対向する一対の支柱を前記通路脇に設置するとともに、その一対の支柱の夫々に前記支持ローラを回転自在に設けて構成してある門扉装置であって、前記補助扉を門扉開閉方向に沿ってスライド移動自在、かつ、前記門扉と共に前記一対の支柱間を移動自在に設けてある点にある。
【０００５】
〔作用及び効果〕
出入り口を開いても補助扉が通路側に突出しないように、補助扉を門扉開閉方向に沿ってスライド移動自在に設けて、門扉と共に一対の支柱間を移動自在に設けてあるので、出入り口の横幅が狭くなったり、門扉装置の設置スペースが大きくなったりすることなく、門扉の出入り口を開けた状態でその門扉をスライド移動させても、補助扉が支柱や支持ローラに衝突するおそれがなく、出入り口の開閉状態を特に管理するような手間を掛けることもなく、門扉で通路を開閉できる。
【０００６】
本考案の第２特徴構成は、前記門扉を扉開閉方向に駆動移動自在な扉駆動機構を設けてある点にある。
【０００７】
〔作用及び効果〕
出入り口の開閉状態を特に管理するような手間を掛けることなく、必要に応じて、門扉を扉駆動機構で扉開閉方向に簡便に駆動移動させることができる。
【考案を実施するための最良の形態】
【０００８】
以下に本考案の実施の形態を図面に基づいて説明する。
図１は、本考案による門扉装置を示し、通路Ａを開閉自在な金属製門扉１に、その門扉１に形成してある出入り口Ｂを手動操作で開閉自在な金属製補助扉（潜り戸）２を設けてあるとともに、門扉１を閉じ状態で通路側に向ける前後面に沿った方向にスライド移動させて開閉自在に支持する扉支持部３と、門扉１の前後面側の夫々をそのスライド移動に伴って回転自在な支持ローラ４（４ａ，４ｂ）で支持して門扉１の倒れを阻止可能な倒れ阻止部５と、門扉１を扉開閉方向に駆動移動自在な扉駆動機構６と、通路Ａを閉じている門扉１の門扉閉じ方向前端側を受け止める受け止め柱７とを設けてある。
【０００９】
前記門扉１は、四角筒状のフレーム８ａ，８ｂ，８ｃ，８ｄを矩形枠状に組み付けてある門扉枠体８の内側に多数の縦桟９と補助扉ユニット１０とを取り付けると共に、門扉枠体８の上部に防犯用の柵１１を取り付けて構成してあり、補助扉ユニット１０は、門扉枠体８の門扉閉じ方向前側の内側に門扉枠体８よりも通路側に突出しないように固定してある。
【００１０】
前記補助扉ユニット１０は、図２にも示すように、四角筒状のフレーム１２ａ，１２ｂ，１２ｃ，１２ｄを矩形枠状に組み付けてあるユニット枠体１２の内側に、出入り口Ｂを残して多数の縦桟１３を固定するとともに、補助扉２を前後一対のガイドローラ１４で上部ユニット枠体フレーム１２ａの下面側に沿ってスライド移動自在に吊り下げ支持して、補助扉２を門扉開閉方向に沿ってスライド移動自在に設けてある。
【００１１】
前記補助扉２は、四角筒状のフレーム１５ａ，１５ｂ，１５ｃ，１５ｄを矩形枠状に組み付けてある補助扉枠体１５の内側に多数の縦桟１６を固定して構成してあり、下部補助扉枠体フレーム１５ｂには、下部ユニット枠体フレーム１２ｂの上面に沿って転動自在な前後一対の補助扉用転輪１７を支持してある。
【００１２】
前記扉支持部３は、門扉１のスライド移動経路脇の片側に沿って上部ガイドレール１８を支柱１９，２０ａで支持するとともに、下部ガイドレール２１を門扉設置面に通路Ａ側に亘って設けて、上部ガイドレール１８に載って転動する上部転輪２２を門扉閉じ方向後側の縦門扉枠体フレーム８ｄに回転自在に支持するとともに、下部ガイドレール２１に載って転動する前後一対の下部転輪２３を下部門扉枠体フレーム８ｂに回転自在に支持して構成してある。
【００１３】
前記倒れ阻止部５は、図３にも示すように、門扉１のスライド移動経路を挟んで対向する一対の支柱２０（２０ａ，２０ｂ）を通路Ａの横側脇に設置するとともに、上部門扉枠体フレーム８ａの側面に接触して転動可能な上部支持ローラ４ａと、下部門扉枠体フレーム８ｂの側面に接触して転動可能な下部支持ローラ４ｂとを、一対の支柱２０の夫々に上下軸芯周りで回転自在に設けて構成して、補助扉２を門扉１と共に一対の支柱２０間を移動自在に設けてある。
尚、一対の支柱２０の上端部どうしは互いに一体に連結してある。
【００１４】
前記扉駆動機構６は、下部門扉枠体フレーム８ｂの門扉閉じ方向前側と後側とに両端を固定してあるチェーン２４と、そのチェーン２４に歯部を掛けてチェーン２４を牽引する駆動スプロケット２７を正逆に駆動回転自在に設けてあるスプロケット駆動装置２５と、チェーン２４を覆うチェーンカバー２６とを設けて、スプロケット２７を正逆に駆動回転させることにより、門扉１を閉じ方向又は開き方向に駆動移動自在に設けてある。
【図面の簡単な説明】
【００１５】
【図１】（イ）  門扉装置の平面図  （ロ）  門扉装置の側面図
【図２】要部の側面図
【図３】要部の一部断面平面図
【符号の説明】
【００１６】
１  門扉
２  補助扉
３  扉支持部
４  支持ローラ
５  倒れ阻止部
６  扉駆動機構
２０  一対の支柱
Ａ  通路
Ｂ  出入り口
【図１】
0003132510.tif 000003
【図２】
0003132510.tif 000004
【図３】
0003132510.tif 000005